(57)【要約】【課題】光記録媒体が再生のための定位置に装着される前に光記録媒体の記録面とレーベル面とを精度よく判別可能とする。【解決手段】光記録媒体に向けて光を出射する発光素子１１と、発光素子１１から出射された光が光記録媒体６０で反射された反射光を受光する受光素子１２と、受光素子１２の受光量に基づいて、光記録媒体６０が装置内へ挿入されたか否か判定を行う挿入判定部２１と、挿入判定部２１が光記録媒体６０の装置内への挿入を判定した場合に、光記録媒体６０の再生位置への搬送を制御する制御部３０と、制御部３０による光記録媒体６０の再生位置への搬送に伴って、発光素子１１に対向した面から受光素子１２が受光した反射光の反射光量を記録するデータロガー１５と、データロガー１５に記録された反射光量の変動と、あらかじめ設定した反射光量の変動閾値とを比較し、光記録媒体６０が正常に挿入されたか否かを判別する比較検知部２３とを備える。【選択図】図１
2013239214.tif 000002
【特許請求の範囲】
【請求項１】
光記録媒体に記録された情報を再生する光記録媒体再生装置において、
前記光記録媒体に向けて光を出射する発光素子と、
前記発光素子から出射された光が前記光記録媒体で反射された反射光を受光する受光素子と、
前記受光素子の受光量に基づいて、前記光記録媒体が装置内へ挿入されたか否か判定を行う挿入判定部と、
前記挿入判定部が前記光記録媒体の装置内への挿入を判定した場合に、前記光記録媒体の再生位置への搬送を制御する制御部と、
前記制御部による前記光記録媒体の再生位置への搬送に伴って、前記発光素子に対向した面から前記受光素子が受光した反射光の反射光量を記録する記録部と、
前記記録部に記録された反射光量の変動と、あらかじめ設定した反射光量の変動閾値とを比較し、前記光記録媒体が正常に挿入されたか否かを判別する比較検知部とを備えたことを特徴とする光記録媒体再生装置。
【請求項２】
光記録媒体に記録された情報を再生する光記録媒体再生装置において、
前記光記録媒体の一方の面に向けて光を出射する第１の発光素子と、
前記第１の発光素子から出射された光が前記光記録媒体の一方の面で反射された反射光を受光する第１の受光素子と、
前記光記録媒体の他方の面に向けて光を出射する第２の発光素子と、
前記第２の発光素子から出射された光が前記光記録媒体の他方の面で反射された反射光を受光する第２の受光素子と、
前記第１の受光素子および前記第２の受光素子の少なくとも一方の受光量に基づいて、前記光記録媒体が装置内へ挿入されたか否か判定を行う挿入判定部と、
前記挿入判定部が前記光記録媒体の装置内への挿入を判定した場合に、前記光記録媒体の再生位置への搬送を制御する制御部と、
前記制御部による前記光記録媒体の再生位置への搬送に伴って、前記第１の発光素子および前記第２の発光素子に対向した面から前記第１の受光素子および前記第２の受光素子が受光した反射光の反射光量を記録する記録部と、
前記記録部に記録された、前記第１の受光素子が受光した反射光の反射光量の変動と、前記第２の受光素子が受光した反射光の反射光量の変動とを比較し、前記光記録媒体が正常に挿入されたか否かを判別する比較検知部とを備えたことを特徴とする光記録媒体再生装置。
【請求項３】
発光素子から出射され、光記録媒体で反射された反射光を受光素子が受光し、当該受光素子の受光量に基づいて前記光記録媒体の装置内への挿入を判定して再生位置への搬送を行い、前記光記録媒体に記録された情報を再生する光記録媒体再生方法において、
記録部が、前記光記録媒体の再生位置への搬送に伴って、前記発光素子に対向した面から受光した反射光の反射光量を記録するステップと、
比較検知部が、前記記録部に記録された反射光量の変動と、あらかじめ設定した反射光量の変動閾値とを比較し、前記光記録媒体が正常に挿入されたか否かを判別するステップとを備えたことを特徴とする光記録媒体再生方法。
【請求項４】
発光素子から出射され、光記録媒体で反射された反射光を受光素子が受光し、当該受光素子の受光量に基づいて前記光記録媒体の装置内への挿入を判定して再生位置への搬送を行い、前記光記録媒体に記録された情報を再生する光記録媒体再生方法において、
前記発光素子は、前記光記録媒体の一方の面に向けて光を出射する第１の発光素子、および前記光記録媒体の他方の面に向けて光を出射する第２の発光素子であって、
前記受光素子は、前記第１の発光素子から出射された光が前記光記録媒体の一方の面で反射された反射光を受光する第１の受光素子、および前記第２の発光素子から出射された光が前記光記録媒体の他方の面で反射された反射光を受光する第２の受光素子であって、
記録部が、前記光記録媒体の再生位置への搬送に伴って、第１の発光素子および第２の発光素子に対抗した面から第１の受光素子および第２の受光素子が受光した反射光の反射光量を記録するステップと、
比較検知部が、前記記録部に記録された前記第１の受光素子が受光した反射光の反射光量の変動と、前記第２の受光素子が受光した反射光の反射光量の変動とを比較し、前記光記録媒体が正常に挿入されたか否かを判別するステップとを備えたことを特徴とする光記録媒体再生方法。
【発明の詳細な説明】
【技術分野】
【０００１】
この発明は、ＣＤ（Compact Disk）やＤＶＤ（Digital Versatile Disk）などの光記録媒体を直接的に挿入および排出する光記録媒体再生装置および光記録媒体再生方法に関するものである。
【背景技術】
【０００２】
従来より、ＣＤやＤＶＤなどの光記録媒体を搬送トレイを用いることなく、直接装置内に挿入するスロットローディング方式を用いた光記録媒体再生装置が知られている。スロットローディング方式では、再生情報が記録された記録面と文字や画像が印刷されたレーベル面とで異なる光反射状態を有する光記録媒体を挿入した場合に、発光部および受光部を有する光センサを用いて光記録媒体の光反射状態を観測し、観測結果に基づいて光記録媒体の記録面とレーベル面を判別している。
【０００３】
例えば、特許文献１に開示された光学式情報記録再生装置では、光記録媒体を保持して回転する回転台に貫通孔を設け、さらに当該貫通孔を出射光が通過するように回転台の下方に光センサを設け、光センサの出射光が光記録媒体により反射された際の反射光量を測定することにより光記録媒体の記録面とレーベル面を判別している。
【０００４】
また、特許文献２に開示された判別装置では、光記憶媒体に対して記録処理または再生処理を行うための光ピックアップとは異なる光センサを設け、光記録媒体の反射面の厚さ方向の位置に基づいて、あるいは光記録媒体の反射により生成された反射光の反射光量に基づいて、光記録媒体の記録面とレーベル面を判別している。
【先行技術文献】
【特許文献】
【０００５】
【特許文献１】特許昭５８−１９３３６３号公報
【特許文献２】特開平１０−６４１７９号公報
【発明の概要】
【発明が解決しようとする課題】
【０００６】
しかしながら、上述した特許文献１に開示された技術では、光記録媒体を回転台に装着した後に光記録媒体の記録面とレーベル面の判別を行うため、判別完了までに時間を要するという課題があった。また、反射光量が測定可能な領域は、回転台に設けた貫通孔と対向する円周領域のみであるため、当該貫通孔と対向する円周領域が透明な場合、あるいは当該貫通孔と対向する円周領域の光反射率が記録面とレーベル面で大きな差がない場合には、光記録媒体の記録面とレーベル面を判別することが困難になるという課題があった。さらに、貫通孔などを追加して設ける必要があり、コストが増加するという課題もあった。
【０００７】
また、特許文献２に開示された技術では、光記録媒体の一箇所の反射光のみを用いて判別を行うため、記録面とレーベル面で等しい光反射状態を有する箇所を観測した場合には、正確な判別を行うことをできないという課題があった。また、光記録媒体を再生装置の定位置に装着した後に判別処理を行うため、判別完了までに時間を要するという課題があった。また、光記録媒体の反射面の厚さ方向の位置を光学的に検出する手段が必要となり、また２つ以上の受光素子を並列に設ける必要があり、コストが増加するという課題もあった。
【０００８】
この発明は、上記のような課題を解決するためになされたもので、光記録媒体が再生のための定位置に装着される前に光記録媒体の記録面とレーベル面とを判別可能とし、さらに記録面とレーベル面で等しい光反射状態を有する領域があった場合にも精度良く記録面とレーベル面とを判別可能な光記録媒体再生装置および光記録媒体再生方法を提供することを目的とする。
【課題を解決するための手段】
【０００９】
この発明に係る光記録媒体再生装置は、光記録媒体に向けて光を出射する発光素子と、
発光素子から出射された光が光記録媒体で反射された反射光を受光する受光素子と、受光素子の受光量に基づいて、光記録媒体が装置内へ挿入されたか否か判定を行う挿入判定部と、挿入判定部が光記録媒体の装置内への挿入を判定した場合に、光記録媒体の再生位置への搬送を制御する制御部と、制御部による光記録媒体の再生位置への搬送に伴って、発光素子に対向した面から受光素子が受光した反射光の反射光量を記録する記録部と、記録部に記録された反射光量の変動と、あらかじめ設定した反射光量の変動閾値とを比較し、光記録媒体が正常に挿入されたか否かを判別する比較検知部とを備えるものである。
【発明の効果】
【００１０】
この発明によれば、光記録媒体の記録面とレーベル面との判別処理に要する時間を短縮し、且つ高精度に記録面とレーベル面とを判別することができる。また、追加構成を必要とせず、コストの増加を抑制することができる。
【図面の簡単な説明】
【００１１】
【図１】実施の形態１による光記録媒体再生装置の構成を示すブロック図である。
【図２】実施の形態１による光記録媒体再生装置の光記録媒体の挿入検知および搬送動作の遷移を示す図である。
【図３】実施の形態１による光記録媒体再生装置の光記録媒体挿入時の動作を示すフローチャートである。
【図４】実施の形態１による光記録媒体再生装置の光記録媒体の判別処理を示すフローチャートである。
【図５】実施の形態１による光記録媒体再生装置の比較検知部による測定値と期待値との比較を示す説明図である。
【図６】実施の形態２による光記録媒体再生装置の構成を示すブロック図である。
【図７】実施の形態２による光記録媒体再生装置の光記録媒体の判別処理を示すフローチャートである。
【図８】実施の形態２による光記録媒体再生装置の比較検出部による測定値の比較を示す説明図である。
【発明を実施するための形態】
【００１２】
実施の形態１．
図１は、この発明の実施の形態１による光記録媒体再生装置の構成を示すブロック図である。図１において、光記録媒体再生装置は、反射光量測定部１０、演算処理部２０、制御部３０、サーボ部４０および駆動部５０で構成されている。当該光記録媒体再生装置には、スロットローディング方式により、挿入口（不図示）を介して直接的に光記録媒体６０が挿入される。次に、各構成の詳細について説明する。
【００１３】
反射光量測定部１０は、発光素子１１、受光素子１２、Ｉ／Ｖ変換器１３、ＡＤ変換器１４、データロガー（記録部）１５および増幅器１６で構成されている。
発光素子１１は、例えば発光ダイオードなどで構成され、所定の光路を有する光を発する。発光素子１１から放出された光は、挿入された光記録媒体６０で反射されて反射光を形成し、受光素子１２に入射する。受光素子１２は、例えばフォトトランジスタなどで構成され、受光した反射光の強度を示す反射光量を電流値として出力する。
【００１４】
Ｉ／Ｖ変換器１３は、受光素子１２から出力される反射光量の電流値を電圧値に変換する。ＡＤ変換器１４は、Ｉ／Ｖ変換器１３で変換された反射光量の電圧値をＡ／Ｄ変換する。データロガー１５は、ＡＤ変換器１４でＡ／Ｄ変換した反射光量を記録する。また、データロガー１５は、反射光量を記録した回数をカウントして記録回数情報を生成し、制御部３０に出力する。増幅器１６は、制御部３０から入力される制御信号を増幅し、発光素子１１に出力する。
【００１５】
演算処理部２０は、挿入判定部２１、演算部２２および比較検出部２３で構成されている。
挿入判定部２１は、ＡＤ変換器１４でＡ／Ｄ変換された電圧値に基づいて、光記録媒体６０が装置内に挿入されたか否か判定を行う。光記録媒体６０の挿入を判定した場合には、当該挿入を制御部３０に通知する。演算部２２は、制御部３０から入力される演算指示に基づいてデータロガー１５から記録された反射光量を取得し、取得した反射光量の分散を算出し、反射光量のバラつきを求める。なお、分散を算出する以外にも、バラつきを求めることが可能な方法であれば適用可能である。比較検出部２３は、演算部２２において算出された反射光量のバラつきと、あらかじめ記録した期待値とを比較し、挿入された光記録媒体６０の反射面が記録面（情報記録面）であるかレーベル面であるか判別する。判別結果は、制御部３０に出力される。
【００１６】
制御部３０は、挿入判定部２１から光記録媒体６０の挿入が通知されると、サーボ部４０を介して駆動部５０を制御して光記録媒体６０の搬送を制御する。また、データロガー１５から入力される記録回数情報および駆動部５０から入力される搬送完了情報に基づいて、演算部２２の演算処理を制御する。また比較検出部２３の検出結果を参照し、正常な挿入であると判断された場合にはサーボ部４０を制御し、再生処理に移行する制御を行う。一方、誤挿入であると判断された場合には排出処理に移行する制御を行う。なお、光記録媒体６０の再生処理および排出処理は、公知の技術を適用可能であるため説明を省略する。
【００１７】
サーボ部４０は、制御部３０の制御に基づいて、搬送制御信号を駆動部５０に出力する。
駆動部５０は、増幅器５１、モータ５２、搬送機構５３および搬送完了検知スイッチ５４で構成され、光記憶媒体６０の挿入を受け付ける。
サーボ部４０から入力された搬送制御信号は、増幅器５１で増幅され、モータ５２が動作を開始して搬送機構５３を駆動し、光記録媒体６０を挿入方向に搬送する。搬送完了検知スイッチ５４は、光記録媒体６０が再生位置に到達すると光記録媒体６０の端部がスイッチを押圧する位置に配置され、当該スイッチの押し込みにより光記録媒体６０の搬送完了を検知し、搬送完了情報を制御部３０に出力する。
【００１８】
光記録媒体６０は、情報が記録され、光ビームの入射により記録情報が再生される側の記録面と、記録面の記録情報の内容など示す文字や画像が描画された側のレーベル面とを有する。記録面は、面上に文字や画像などが印刷されていないため、光を照射した場合に、当該照射光が通過した軌跡においてバラつきの少ない一定した反射光量が計測される。一方、レーベル面は、面上に文字や画像などが描画されているため、照射光が通過した軌跡において反射光量を計測すると、文字や画像などが描画されている領域と文字や画像などが描画されていない領域とで反射光量にバラつきが生じる。
【００１９】
そのため、光記録媒体６０の面上の１点のみではなく、照射光が通過した軌跡において連続して反射光量を測定することにより反射光量のバラつきを精度よく検知することができ、光記録媒体６０の記録面とレーベル面とを正確に判別することができる。なお、反射光量の測定は、一端の外周部から内周部を経由して他端の外周部に向けて連続して行うように構成してもよいし、光記録媒体６０の面上の複数の地点で行うように構成してもよい。一端の外周部から内周部を経由して他端の外周部に向けて連続して反射光量を測定する場合には、発光素子１１および受光素子１２を常時起動状態に制御する。一方、光記録媒体６０の面上の複数の地点で反射光量を測定する場合には、発光素子１１および受光素子１２の起動タイミングを制御する、あるいは連続して測定した反射光量のうち、特定地点における反射光量を取得するように構成する。
なお、以下の説明では、光記録媒体の一端の外周部から内周部を経由して他端の外周部に向けて連続して反射光量を測定する場合を例に説明する。
【００２０】
次に、図２を参照しながら光記録媒体再生装置１００への光記録媒体６０の挿入および搬送をについて説明する。
図２は、この発明の実施の形態１による光記録媒体再生装置の光記録媒体の挿入検知および搬送動作の遷移を示す図である。図２に示すように、反射光量測定部１０の発光素子１１および受光素子１２は、光記録媒体６０が挿入される挿入口（不図示）近傍、且つ挿入される光記録媒体６０の下方に配置される。なお、光記録媒体６０の一端の外周部から内周部を経由して他端の外周部までなど連続して反射光量を計測可能であれば、発光素子１１および受光素子１２の配置は適宜変更可能である。また、図２に示す挿入検知は、光記録媒体６０からの反射光量の大小に基づいて行われる。
【００２１】
図２（ａ）は光記録媒体が挿入された状態を示す上面図であり、図２（ｂ）は図２（ａ）の側面図である。
光記録媒体６０が図２（ａ）に示す位置までユーザにより挿入されると、発光素子１１の上部に少なくとも光記録媒体６０の一部が存在するため、発光素子１１から出射された光の反射光が形成され、受光素子１２に受光され、挿入判定部２１において光記録媒体６０の挿入が判定される。
【００２２】
次に、図２（ｃ）は光記録媒体搬送時の状態を示す上面図であり、図２（ｄ）は図２（ｃ）の側面図である。
光記録媒体６０が挿入され、搬送動作が開始されると、光記録媒体６０が発光素子１１の上部に位置し、発光素子１１から出射された光が光記録媒体６０により反射され、反射光が受光素子１２に入射する。反射光が受光素子１２に入射することにより、受光素子１２の電流値に変化が生じ、演算処理部２０の挿入判定部２１において光記録媒体６０の挿入が検知される。
【００２３】
なお、光記録媒体６０の挿入が検知された後であって、搬送完了位置に向けて光記録媒体６０の搬送が行われている間は、発光素子１１の上部に光記録媒体６０が存在することから、発光素子１１から出射された光が当該光記録媒体６０で反射され、反射光が入射された受光素子１２において反射光の強度に応じた電流値が出力される。出力される電流値に基づく計測値をデータロガー１５に記録することにより、光記録媒体６０の挿入開始から搬送完了までの連続した期間の反射光量を取得することができる。
【００２４】
例えば、記録面が反射面である場合、光記録媒体６０の挿入開始から搬送完了の期間において、反射光量に大きな変動は生じない。一方、レーベル面が反射面である場合、文字や画像が描画されている領域では光の反射が弱く、受光素子１２に入射する反射光の強度が弱いため電流値が低下するが、レーベル面であっても文字や画像が描画されていない領域では光の反射が強く、受光素子１２に入射する反射光の強度が強いため電流値が上昇する。このように、レーベル面が反射面である場合には、光記録媒体６０の挿入開始から搬送完了までの期間において、反射光量に閾値以上の変動が生じる。当該反射光量の閾値以上の変動の有無に基づいて、光記録媒体６０の反射面が記録面であるか、レーベル面であるか判別する。
【００２５】
次に、図２（ｅ）は光記録媒体搬送完了時の状態を示す上面図であり、図２（ｆ）は図２（ｅ）の側面図である。光記録媒体６０の搬送が完了すると、発光素子１１の上部に光記録媒体６０が存在しないため、発光素子１１から出射された光の反射光は形成されず、受光素子１２の電流値の上昇が停止する。
【００２６】
次に、光記録媒体再生装置の光記録媒体６０挿入時の動作について説明する。図３は、実施の形態１による光記録媒体再生装置の光記録媒体挿入時の動作を示すフローチャートである。
反射光量測定部１０は、発光素子１１から出射された光の反射光の反射光量を測定し、挿入判定部２１に出力する（ステップＳＴ１）。具体的には、発光素子１１から出射された光の反射光を受光素子１２が受信して反射光量を電流値として出力し、Ｉ／Ｖ変換器１３が電流値を電圧値に変換し、ＡＤ変換器１４が電圧値をデジタル値に変換し、反射光量として挿入判定部２１に出力する。
【００２７】
挿入判定部２１は、ステップＳＴ１で入力された反射光量と、あらかじめ設定された規定値とを比較し、反射光量が規定値よりも大きいか否か判定を行う（ステップＳＴ２）。反射光量が規定値よりも小さい場合（ステップＳＴ２；ＮＯ）、光記憶媒体６０が挿入されていないと判定し、ステップＳＴ１の処理に戻る。一方、反射光量が規定値よりも大きい場合（ステップＳＴ２；ＹＥＳ）、光記憶媒体６０が挿入されたと判定し、当該挿入を制御部３０に通知する（ステップＳＴ３）。制御部３０は、ステップＳＴ３の挿入通知に基づいて、サーボ部４０に搬送機構駆動信号を出力すると共に（ステップＳＴ４）、光記録媒体６０の記録面とレーベル面の判別処理を開始する。なお、光記録媒体６０の記録面とレーベル面の判別処理の詳細は後述する。
【００２８】
サーボ部４０は、ステップＳＴ４において入力された搬送機構駆動信号に基づいて、増幅器５１およびモータ５２を介して搬送機構５３を駆動させ、光記憶媒体６０の装置内への搬送を開始する（ステップＳＴ５）。その後、搬送完了検知スイッチ５４は、スイッチが押圧されたか否か判定を行う（ステップＳＴ６）。スイッチが押圧されていない場合（ステップＳＴ６；ＮＯ）には所定時間待機し、再度ステップＳＴ６の判定処理に戻る。一方、スイッチが押圧された場合（ステップＳＴ６；ＹＥＳ）、制御部３０に対して搬送完了情報を通知する（ステップＳＴ７）。
【００２９】
制御部３０は、ステップＳＴ７の搬送完了情報の通知に基づいて、サーボ部４０に搬送機構停止信号を出力する（ステップＳＴ８）。サーボ部４０は、ステップＳＴ８において入力された搬送機構停止信号に基づいて、増幅器５１およびモータ５２を介して搬送機構５３を停止させ、光記憶媒体６０の搬送を完了する（ステップＳＴ９）。
【００３０】
次に、図３のフローチャートのステップＳＴ３の分岐における光記録媒体６０の記録面とレーベル面の判別処理の詳細について、図４のフローチャートを参照しながら説明する。
図４は、実施の形態１による光記録媒体再生装置の光記録媒体の判別処理を示すフローチャートである。
発光素子１１から出射され光の光記録媒体６０からの反射光を受光素子１２が受信して反射光量の電流値として出力し、Ｉ／Ｖ変換器１３が電流値を電圧値に変換し、ＡＤ変換器１４が電圧値をデジタル値に変換し、反射光量としてデータロガー１５に記録する（ステップＳＴ１１）。
【００３１】
データロガー１５は、反射光量の記録回数をカウントし、記録回数情報として制御部３０に出力する（ステップＳＴ１２）。制御部３０は、上述した図３のフローチャートのステップＳＴ７の搬送完了情報が通知されたか、あるいはステップＳＴ１２において入力された記録回数情報を参照し、データロガー１５への記録回数があらかじめ設定した規定回数に到達したか否か判定を行う（ステップＳＴ１３）。搬送完了情報が通知されておらず、且つ記録回数が規定回数に到達してない場合（ステップＳＴ１３；ＮＯ）、ステップＳＴ１１の処理に戻る。
【００３２】
一方、搬送完了情報が通知された、あるいは記録回数が規定回数に到達した場合、制御部３０は演算部２２に対して演算指示を出力する（ステップＳＴ１４）。ステップＳＴ１４において演算指示が入力された演算部２２は、データロガー１５に記録された反射光量を取得し、反射光量のバラつきを算出する（ステップＳＴ１５）。比較検知部２３は、ステップＳＴ１５で算出された反射光量のバラつきと、あらかじめ設定されたバラつきの期待値とを比較し、反射光量のばらつきが期待値よりも小さいか否か判定を行う（ステップＳＴ１６）。
【００３３】
反射光量のバラつきが期待値よりも小さい場合（ステップＳＴ１６；ＹＥＳ）、比較検知部２３は、挿入された光記録媒体６０の反射面が記録面であり、正常な挿入であると判定し、判定結果を制御部３０に出力する（ステップＳＴ１７）。制御部３０は、ステップＳＴ１７の正常挿入であるとの判定結果を受信すると、光記録媒体６０の再生処理に移行し、処理を終了する（ステップＳＴ１８）。
【００３４】
一方、反射光量のバラつきが期待値よりも大きい場合（ステップＳＴ１６；ＮＯ）、比較検知部２３は、挿入された光記録媒体６０の反射面がレーベル面であり、誤挿入であると判定し、判定結果を制御部３０に出力する（ステップＳＴ１８）。制御部３０は、ステップＳＴ１８の誤挿入であるとの判定結果を受信すると、光記録媒体６０の排出処理に移行し、処理を終了する（ステップＳＴ２０）。
【００３５】
図５は、実施の形態１による光記録媒体再生装置の比較検知部による測定値と期待値との比較を示す図である。
図５は、光記録媒体６０の一端の外周部から内周部を経由して他端の外周部にかけて連続して測定した反射光量を示している。領域Ａは、挿入された光記録媒体６０の反射面が記録面であった場合に期待される反射光量のバラつき範囲を示している。演算部２２において算出された反射光量のバラつきが領域Ａの変動幅である期待値よりも小さい場合には反射面が記録面であると判別され、一方反射光量のバラつきが領域Ａの変動幅である期待値よりも大きい場合には反射面がレーベル面であると判別される。
図５で示す反射光量Ｂは、バラつきが領域Ａの変動幅である期待値よりも大きいため、反射面がレーベル面であると判別される。
【００３６】
以上のように、この実施の形態１によれば、挿入判定部２１において光記録媒体６０の挿入が検知されると、搬送動作に伴って光記録媒体６０に対して照射された光が通過した軌跡において検出された反射光量を記録するデータロガー１５と、データロガー１５に記録された反射光量を読み出し、読み出した反射光量のバラつきを算出する演算部２２と、演算部２２が算出したバラつきと期待値とを比較し、光記録媒体６０の反射面が記録面であるかレーベル面であるか判別する比較検知部２３とを備えるように構成したので、光記録媒体が再生のための定位置に装着される前に光記録媒体の記録面とレーベル面とを判別することができる。
【００３７】
また、この実施の形態１によれば、光記録媒体６０に対して照射された光が通過した軌跡において検出された反射光量、即ち光記録媒体６０の面上を連続して測定した反射光量に基づいて記録面とレーベル面の判別を行うように構成したので、記録面とレーベル面で等しいあるいは類似する光反射状態を有する領域があった場合にも精度の高い判別を行うことができ、誤判定を回避することができる。
【００３８】
また、この実施の形態１によれば、挿入検知用の発光素子１１および受光素子１２を用いて、記録面かレーベル面であるかの判別を行うように構成したので、記録面とレーベル面を判別するために新たな発光素子および受光素子を設ける必要がなく、コスト増加を抑制することができる。
【００３９】
なお、上述した実施の形態１では、挿入する光記録媒体６０の下方に発光素子１１および受光素子１２を配置する構成を示したが、挿入する光記録媒体６０の上方に発光素子１１および受光素子１２を配置するように構成してもよい。
【００４０】
実施の形態２．
実施の形態１では、挿入する光記録媒体６０の下方または上方に発光素子１１および受光素子１２を配置する構成を示したが、この実施の形態２では、挿入する光記録媒体６０の上方および下方の両側に発光素子および受光素子を配置する構成を示す。
図６は、実施の形態２による光記録媒体再生装置の構成を示すブロック図である。
上述した実施の形態１の光記録媒体再生装置に、反射光量測定部１０ａを追加して設けると共に、当該反射光量測定部１０ａが測定した反射光量に基づいて演算を行う演算部２２ａを演算処理部２０内に追加して設けている。
なお以下では、実施の形態１による光記録媒体再生装置の構成要素と同一または相当する部分には、実施の形態１で使用した符号と同一の符号を付して説明を省略または簡略化する。
【００４１】
反射光量測定部１０ａは、発光素子１１ａ、受光素子１２ａ、Ｉ／Ｖ変換器１３ａ、ＡＤ変換器１４ａ、データロガー１５ａおよび増幅器１６ａで構成されている。各構成は、実施の形態１で示した反射光量測定部１０の各構成と同様の動作を行うため、説明を省略する。ただし、発光素子１１ａおよび受光素子１２ａは、挿入される光記録媒体６０の上方に配置し、挿入された光記録媒体６０の上面の反射光量を測定する。
【００４２】
演算処理部２０の演算部２２ａは、反射光量測定部１０ａのデータロガー１５ａに記録された反射光量を取得し、反射光量の変動（例えば平均値など）を算出する。同様に演算部２２´は、反射光量測定部１０のデータロガー１５に記録された反射光量を取得し、反射光量の変動を算出する。比較検知部２３´は、演算部２２´で算出された光記録媒体６０の下面の反射光量の変動と、演算部２２ａで算出された光記録媒体６０の上面の反射光量の変動とを比較し、光記録媒体６０の記録面とレーベル面とを判別する。なお、反射光量の変動としては、反射光量の平均値や反射光量の統計などが挙げられる。なお、上面の反射光量と下面の反射光量の値の差を算出可能な方法であれば適宜適用可能である。
【００４３】
実施の形態１と同様に光記録媒体６０の面上の１点のみではなく、光記録媒体６０に対して照射された光が通過した軌跡において連続して、且つ光記録媒体６０の上面および下面の反射光量を測定することにより、反射光量のバラつきを精度よく検知し、記録面とレーベル面で光反射状態の差が小さい光記録媒体６０が挿入された場合にも、高精度に記録面とレーベル面とを判別することができる。また、実施の形態１と同様に、反射光量の測定は、光記録媒体６０の上面および下面の一端の外周部から内周部を経由して他端の外周部に向けて連続して行うように構成してもよいし、光記録媒体６０の上面および下面の複数の地点で行うように構成してもよい。
なお、以下の説明では、光記録媒体６０の一端の外周部から内周部を経由して他端の外周部に向けて連続して反射光量を測定する場合を例に説明する。
【００４４】
実施の形態２による光記録媒体再生装置の動作について説明する。
まず、光記録媒体挿入判定動作について説明する。
光記録媒体挿入の判定は、実施の形態１と同様に測定された反射光量を規定値とを比較することにより行われ、反射光量が規定値より大きい場合に光記録媒体６０が挿入されたと判定する。この実施の形態２では、２つの反射光量測定部１０，１０ａを設けているため、反射光量測定部１０，１０ａ双方で測定された反射光量を用いて挿入判定部２１が光記録媒体６０の挿入を判定するように構成してもよいし、反射光量測定部１０または反射光量測定部１０ａのいずれか一方で測定された反射光量を用いて、挿入判定部２１が光記録媒体６０の挿入を判定するように構成してもよい。
【００４５】
なお、図５では、反射光量測定部１０，１０ａ双方で測定された反射光量を用いて挿入判定部２１が光記録媒体６０の挿入を判定する構成を示している。なお、挿入を判定する詳細な動作、および光記録媒体６０の搬送動作は、上述した実施の形態１の図３のフローチャートと同様であるため、説明を省略する。
【００４６】
次に、光記録媒体６０の記録面とレーベル面の判別処理について図７のフローチャートを参照しながら説明する。図７は、実施の形態２による光記録媒体再生装置の光記録媒体の判別処理を示すフローチャートである。なお、図７のフローチャートでは、反射光量の変動として、平均値を算出する場合を例に説明する。
発光素子１１，１１ａから出射される光の光記録媒体６０からの反射光を受光素子１２，１２ａが受信して反射光量の電流値として出力し、Ｉ／Ｖ変換器１３，１３ａが電流値を電圧値に変換し、ＡＤ変換器１４，１４ａが電圧値をデジタル値に変換し、反射光量としてデータロガー１５，１５ａに記録する（ステップＳＴ３１）。
【００４７】
データロガー１５，１５ａは、反射光量の記録回数をカウントし、記録回数情報として制御部３０に出力する（ステップＳＴ３２）。制御部３０は、上述した実施の形態１の図３のフローチャートのステップＳＴ７の搬送完了情報が通知されたか、あるいはステップＳＴ３２において入力された記録回数情報を参照し、データロガー１５，１５ａへの記録回数があらかじめ設定した規定回数に到達したか否か判定を行う（ステップＳＴ３３）。  なお、データロガー１５，１５ａへの記録タイミングは同一であってもよく、異なっていてもよい。
【００４８】
搬送完了通知が入力されておらず、且つ記録回数が規定回数に到達してない場合（ステップＳＴ３３；ＮＯ）、ステップＳＴ３１の処理に戻る。一方、搬送完了通知が入力された、あるいはデータロガー１５，１５ａの記録回数がそれぞれ規定回数に到達した場合、制御部３０は、演算部２２´，２２ａに対して演算指示を出力する（ステップＳＴ３４）。ステップＳＴ３４において演算指示が入力された演算部２２´，２２ａは、データロガー１５，１５ａに記録された反射光量を取得し、反射光量の平均値を算出する（ステップＳＴ３５）。比較検知部２３´は、ステップＳＴ３５で算出された受光素子１０の反射光量の平均値と、受光素子１０ａの反射光量の平均値とを比較し、受光素子１０の反射光量の平均値が受光素子１０ａの反射光量の平均値より大きいか否か判定を行う（ステップＳＴ３６）。
【００４９】
受光素子１０の反射光量の平均値が、受光素子１０ａの反射光量の平均値より大きい場合（ステップＳＴ３６；ＹＥＳ）、比較検知部２３´は、挿入された光記録媒体６０の下方の反射面が記録面であり、正常な挿入であると判定し、判定結果を制御部３０に出力する（ステップＳＴ３７）。制御部３０は、ステップＳＴ３７の正常挿入であるとの判定結果を受信すると、光記録媒体６０の再生処理に移行し、処理を終了する（ステップＳＴ３８）。
【００５０】
一方、受光素子１０の反射光量の平均値が、受光素子１０ａの反射光量の平均値より小さい場合（ステップＳＴ３６；ＮＯ）、比較検知部２３´は、挿入された光記録媒体６０の下方の反射面がレーベル面であり、誤挿入であると判定し、判定結果を制御部３０に出力する（ステップＳＴ３９）。一方、ステップＳＴ３９の誤挿入であるとの判定結果を受信すると、光記録媒体６０の排出処理に移行し、処理を終了する（ステップＳＴ４０）。
【００５１】
図８は、実施の形態２による光記録媒体再生装置の比較検出部による測定値の比較を示す説明図である。
図８は光記録媒体の一端の外周部から内周部を経由して他端の外周部にかけて連続して測定した反射光量を示し、反射光量Ｃは記録面の反射光量を測定した結果を示し、反射光量Ｄはレーベル面の反射光量を測定した結果を示している。
反射光量Ｃは、反射光量Ｄで示した反射光量よりも常に大きい値で安定しており、比較検知部２３´において反射光量Ｃの平均値は、反射光量Ｄの平均値よりも大きいと判定され、反射面が記録面であると判別される。
【００５２】
以上のように、この実施の形態２によれば、挿入判定部２１において光記録媒体６０の挿入が検知されると、搬送動作に伴って光記録媒体６０に対して照射された光が通過した軌跡において検出された反射光量を記録するデータロガー１５，１５ａと、データロガー１５に記録された反射光量を読み出し、読み出した反射光量の変動を算出する演算部２２´，２２ａと、演算部２２´，２２ａが算出した変動とを比較し、光記録媒体６０の記録面とレーベル面とを判別する比較検知部２３´とを備えるように構成したので、光記録媒体の両面の反射光量を同時に測定し、直接比較することができるので、記録面とレーベル面とで光反射状態の差が小さい光記録媒体であっても精度良く判別することができる。
また、光記録媒体が再生のための定位置に装着される前に光記録媒体の記録面とレーベル面とを判別することができる。
【００５３】
また、この実施の形態２によれば、光記録媒体６０に対して照射された光が通過した軌跡において検出された反射光量、即ち光記録媒体６０の面上を連続して測定した反射光量に基づいて記録面とレーベル面の判別を行うように構成したので、記録面とレーベル面で等しいあるいは類似する光反射状態を有する領域があった場合にも精度の高い判別を行うことができ、誤判定を回避することができる。
【００５４】
また、光記録媒体再生装置において、異物挿入を検知するために２箇所以上に挿入検知センサを設けている場合も多く、これらの挿入検知センサを構成する２組の発光素子および受光素子を用いることにより、新たな発光素子および受光素子を設けることなく光記録媒体６０の両面の反射光量を測定することが可能となり、コスト増加を抑制することができる。
【００５５】
なお、上述した実施の形態２では、二対の発光素子１１，１１ａおよび受光素子１２，１２ａに対してそれぞれ２つのＩ／Ｖ変換器１３，１３ａ、ＡＤ変換器１４，１４ａおよびデータロガー１５，１５ａを備える構成を示したが、それぞれ１つのＩ／Ｖ変換器１３、ＡＤ変換器１４およびデータロガー１５が二対の発光素子１１，１１ａおよび受光素子１２，１２ａの反射光量を処理するように構成してもよい。
【００５６】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００５７】
１０  ，１０ａ  反射光量測定部、１１，１１ａ  発光素子、１２，１２ａ  受光素子、１３，１３ａ  Ｉ／Ｖ変換器、１４，１４ａ  ＡＤ変換器、１５，１５ａ  データロガー、１６，１６ａ  増幅器、２０  演算処理部、２１  挿入判定部、２２，２２´，２２ａ  演算部、２３，２３´  比較検出部、３０  制御部、４０  サーボ部、５０  駆動部、５１  増幅器、５２  モータ、５３  搬送機構、５４  搬送完了検知スイッチ、６０  光記録媒体、１００  光記録媒体再生装置。
【図１】
2013239214.tif 000003
【図２】
2013239214.tif 000004
【図３】
2013239214.tif 000005
【図４】
2013239214.tif 000006
【図５】
2013239214.tif 000007
【図６】
2013239214.tif 000008
【図７】
2013239214.tif 000009
【図８】
2013239214.tif 000010